(57)【要約】      （修正有）【課題】トイレブース内での小回りを簡易な構造で自在に実施して迅速且つ安全にトイレ内便器上に跨りセットすることができるトイレ補助用車椅子を提供する。【解決手段】前後左右に走行用の前輪と後輪を設け、補助便座を有する座席の左右に一対の肘掛けを設け、前記後輪間の座席の下方に、その後方から洋式便器の前部から跨いで便器上方に移動可能な挿通空間部を形成したトイレ補助用車椅子において、前記座席の肘掛けの前方に前押し用のハンドルを退避可能に設け、前記前輪間に足置板を退避可能に設けた。【選択図】図５
0003148261.tif 000002
【実用新案登録請求の範囲】
【請求項１】
前後左右に走行用の前輪と後輪を設け、補助便座を有する座席の左右に一対の肘掛けを設け、前記後輪間の座席の下方に、その後方から洋式便器の前部から跨いで便器上方に移動可能な挿通空間部を形成したトイレ補助用車椅子において、前記座席の肘掛けの前方に前押し用のハンドルを退避可能に設け、前記前輪間に足置板を退避可能に設けたことを特徴とするトイレ補助用車椅子。
【考案の詳細な説明】
【技術分野】
【０００１】  本考案は、車椅子に乗ったまま普通の洋式トイレ内に入りそのままトイレにセットして大小便をすることができるトイレ補助用車椅子に関するものである。
【背景技術】
【０００２】  歩行が困難か歩行ができなく車椅子を必要とする人にとっての用便は、介護者の世話をなくしてはできない。そして介護者に用便の世話をしてもらうことは精神的な負担が非常に大きい。又、介護者にとっては、患者の用便の世話に多大の時間を拘束されるとともに、患者を車椅子とトイレブースの便器の間で抱きかかえて移し替えなければならず、患者の用便のたびに多大の労力を必要としていた。このように、歩行に不自由な患者の用便処理については、患者自身及び介助者の双方に精神的及び物理的な高負担を強いられているのが現状である。【０００３】  そこで歩行に不自由な車椅子利用者のために改善された車椅子が、特許文献１〜２６にて種々紹介されているが大別すると次の通りである。
１）、便器を備えたトイレ付車椅子
２）、便器に乗り換えができるようにした乗換用車椅子
３）、便座のみを備えて便器上にセット可能にしたトイレ補助用車椅子
前記トイレ付車椅子は、複雑な構造と成り、製作費用が嵩み、しかもトイレ内排泄物の処理が煩雑であるなどの課題が多い。
前記乗換用車椅子は、特殊構造となり通常車と兼用ができないばかりか、乗った人を後方側に移動させて固定トイレ便器上に乗り換えし、用後はまた元に戻さなければならないため本人も介護者も大変な作業となり、利用者がある程度限定される。
前記トイレ補助用車椅子は、「補助便座を有する座席の左右側に一対の肘掛けと、主載輪と、座席前部の左右足元側に進路方向転換が自在な一対の方向輪とを設け、座席の下方と前記主載輪間に、その後方から洋式便器の前部を跨いで洋式便器上方に移動可能な挿通空間部を形成した」ものであり、補助便座に座ったまま便器上にセット可能にした簡単なもので上記トイレ付車椅子と乗換用車椅子の課題を一挙に解決したものである。
【特許文献１】特開２００７−１１１１５５トイレ機能付き車椅子
【特許文献２】特開２００５−３４９１５８車椅子用トイレ及び車椅子
【特許文献３】特開２００４−３４４６０３ウオッシュレットポータブルトイレ付きリクライニング車椅子
【特許文献４】特開２００４−２０８９８５老人介護に関る家族及びケアする人の負担を軽減する為の車椅子兼用介護用ベット及び浴槽兼用介護用トイレ及びベルト挿入装置を設けた移載装置を収納したベース兼用フレーム
【特許文献５】特開２００４−１６０１３７車椅子に装着する排便排尿自動処理便器
【特許文献６】特開２００４−０６０４２０車椅子使用者用仮設トイレ
【特許文献７】特開２００３−３１９９７５車椅子型介護用トイレ
【特許文献８】特開２００３−２１３９４６車椅子使用者用仮設トイレ
【特許文献９】特開２００３−２１３９４６車椅子使用者用仮設トイレ
【特許文献１０】特開２００３−１３５３１５車いすトイレ用押ボタンスイッチ
【特許文献１１】特開２００３−０６２０１４介助者が座薬や浣腸剤を入れ易く、排便後の処理もし易いトイレ、入浴介護用車椅子
【特許文献３】特開２００２−１７７３３２車いす用簡易携帯トイレ
【特許文献１２】特開２００２−１６１５７１車椅子使用者用仮設トイレ
【特許文献１３】特開２００２−０２８１８６搭乗したままトイレ便器に座り替え可能な車椅子
【特許文献１４】特開２００１−２８６４１６車椅子用着脱式トイレおよび車椅子
【特許文献１５】特開２００１−２６９３７３車椅子専用公衆便器（小便用）
【特許文献１６】特開２０００−０２７４７０車椅子利用者用トイレ
【特許文献１７】特開２０００−０１４７０８「簡易便器付き車椅子」
【特許文献１８】特開平１１−３４２１５７車椅子から便器間の移動補助器具
【特許文献１９】特開平１１−００９６２５車椅子及び車椅子用便器装置
【特許文献２０】特開平１０−３２８０７５車椅子用小便器
【特許文献２１】特開平１０−１３１５２６車椅子対応型トイレブース
【特許文献２２】特開平１０−１２１７５４車椅子対応型トイレブース
【特許文献２３】特開平０９−２９０００６便器付き車椅子
【特許文献２４】特開平０９−１０８１４７車椅子用便器装置
【特許文献２５】特開平０８−３０８８７７車椅子の全天候型及びトイレ用カバーセット
【特許文献２６】特開平０８−２２４１９１車椅子用の脱着式トイレ
【考案の開示】
【考案が解決しようとする課題】
【０００４】  ところでトイレ補助用車椅子は、トイレブース（ボックス）に入りトイレの便器にセットする際は、小回りな操作が要求される。
例えば、トイレボックスの入り口にトイレの便器の前部が対面している場合は、トイレ補助用車椅子を後ろ向きで入り口から入り、そのまま略直進すれば、トイレの便器の上にセットすることができるが、入り口に対してトイレの便器が横向きの場合は、入り口から後ろ向きで入りながら９０度方向転換し、次にトイレの便器の側方をバックで通り、また１８０度方向転換してトイレの便器の前部に車椅子の後部を位置させた後に再びバックでトイレの便器上にセットすることが煩雑で厄介でしかも場合によっては壁との当接などの危険を伴う作業である。しかしこの作業は、トイレの入り口も便器脇通路も狭いと殆ど不可能な事態となり使用することができなくなる。
本考案は、この問題を解決し、トイレブース内での小回りを簡易な構造で自在に実施して迅速且つ安全にトイレ内便器上にセットすることができるトイレ補助用車椅子を提供するものである。
【課題を解決するための手段】
【０００５】上記課題を満足させる本考案の基本的な技術構成は、次の（１）の通りである。
（１）、前後左右に走行用の前輪と後輪を設け、補助便座を有する座席の左右に一対の肘掛けを設け、前記後輪間の座席の下方に、その後方から洋式便器の前部から跨いで便器上方に移動可能な挿通空間部を形成したトイレ補助用車椅子において、前記座席の肘掛けの前方に前押し用のハンドルを退避可能に設け、前記前輪間に足置板を退避可能に設けたことを特徴とするトイレ補助用車椅子。
【考案の効果】
【０００６】  本考案のトイレ補助用車椅子は、前記座席の肘掛けの前部に前押し用のハンドルを例えば円弧状にして方向転換を容易にし又乗るときの退避を可能にし、足置板を円弧状にして方向転換を容易にし又乗るときの退避を可能にしたことにより、トイレの入り口に対してトイレの便器が横向きの場合は、足置板を退避させた状態でハンドルを操作して、入り口から後ろ向きで入れながら入り口幅より小さい回転直径での９０度方向転換を円滑且つ安全に実施し、次にトイレの便器の側方をバックで通り、またトイレの前部の一側からの１８０度の方向転換も円滑且つ安全に実施して、トイレの便器の前部に車椅子の後部を位置させることができ、その後のバックによるトイレ便器上へのセットを極めて容易かつ迅速なものにしたものである。
【考案を実施するための最良の形態】
【０００７】  本考案の実施するための最良の形態を実施例と共に詳細に紹介する。
【実施例１】
【０００８】  実施例１を図１〜図４に示す。本考案の実施例１において、トイレ補助用車椅子１０は、背もたれ１と座席２と、これ等を両側から支持する両側枠３と、両側枠３の前後左右に走行用の前輪４と後輪５を設け、座席２の上には補助便座６設け、座席２の左右に一対の肘掛け７を設け、前記両側枠３間の座席２の下方に、その後方から洋式便器１００の前部から跨いで便器１００上方に移動可能な挿通空間部Ｓを形成してある。
前記座席の肘掛けの前方には、前押し用の前部を図４に示すように円弧状にしたハンドル８を退避可能に設け、前記前輪４間には、前端縁を円弧状にした足置板９を退避可能に設けてある。
前輪４と後輪５は方向自在に装着されておりストッパー４ａ，５ａを付設してある。補助便座６は通常のトイレでも一般的に普及しているもので前部を二股にした馬蹄形のタイプである。座席２は中央部に挿通ホール２ａを有し、その下端周縁部にスカート２ｂを垂設して用便中のカーテンにしてある。
ハンドル８は、一対設けその各基部８−１は両側枠３と肘掛け７にて固定支持してあり、各ハンドル部８−２は上から見ると四分の一円弧状にしたもので基部８−１のベアーリング８−３に回転可能に軸連結し、適宜な回転制限ストッパーで水平から矢印８−５で示すように９０度回転した位置で回転が停止し、丁度左右両脇に各々直立状態で退避し、人が乗るときの便宜を図っている。
ストッパーはハンドル部８−２側の凸部８−４とそれが水平から矢印８−５で示すように９０度回転した位置で当接する基部８−１側の固定片８０−５とからなる。
足置板９はガイド９−１にスライド自在に支持して前後に出し入れ退避可能にしてある。前端部にはストッパーを兼ねる取っ手９−２を設けてある。
【実施例２】
【０００９】  実施例２を図５に示す。本考案の実施例２は、パイプ式のトイレ補助用車椅子２０の例を示す。
トイレ補助用車椅子２０は、手押しハンドル２１−１付きの背もたれ２１と、座席２２と、これ等を両側から支持する両側枠２３と、両側枠２３の前後左右に走行用の前輪２４と後輪２５を設け、座席２２は補助便座を兼用し、座席２２の左右に一対の肘掛け２７を設け、前記両側枠２３中央部間の座席２２の下方に、その後方から洋式便器の前部から跨いで便器上方に移動可能な挿通空間部２Ｓを形成してある。前輪２４は方向自在に装着されている。
座席２２は中央部に挿通ホール２２ａを有し、その下端周縁部にスカート２２ｂを垂設して用便中のカーテンにしてある。
前記座席の肘掛け２７を支持する支持パイプ部２３−１には、前押し用の前部円弧状にしたハンドル２８を退避可能に設け、前記前輪２４間に前端縁を円弧状にした足置板２９を退避可能に設けてある。
ハンドル２８は、基部は肘掛け２７の支持パイプ部２３−１にベアーリング式カップルジョイント２８−１で回転可能に連結し、先端部は鍵型の回転制限ストッパー２８−２を設け、これを側枠２３の肘掛２７用の支持パイプ部２３−１に形成した受け鍵部２３−２に上方から着脱可能に連結し、離脱の際は矢印２８−３で示すように９０度回転可能にして、片脇に退避可能にし、人が乗るときの便宜を図っている。
足置板２９は、両側枠２３の下部に回転冶具２９−１により回動可能に一対設けて、矢印２９−２で示すように９０度左右に開閉回転して退避可能にしてある。
以上に紹介した実施例１のトイレ補助用車椅子１０及び実施例２のトイレ補助用車椅子２０は、いずれもトイレの入り口に対してトイレの便器が縦置きの場合は勿論、横向きの場合でも、ハンドルを操作して、入り口から方向転換しながらの進入を円滑且つ容易安全に実施し、しかもトイレの便器へのバック跨りも方向転換させながら円滑且つ容易安全に実施することができ、前述の作用効果を確実に得ることができた。
【産業上の利用可能性】
【００１０】  本考案は、上述のように  簡単構造体であり、優れた作用効果を呈するもので、一般家庭、老人ホーム、医療機関等において広く適用普及することができるので、この種産業界に多大な貢献をもたらすものである。
【図面の簡単な説明】
【００１１】
【図１】本考案の実施例１の説明図であり、一部断面の側面説明図を示す。
【図２】図３に示す矢視Ａ−Ａからの縦断面説明図である。
【図３】図１の正面図である。
【図４】図１の裏面図である。
【図５】本考案の実施例２の斜視説明図である。
【符号の説明】
【００１２】１、２１    背もたれ
２、２２    座席
３、２３    両側枠
４、２４    前輪
５、２５    後輪
６          補助便座
７、２７    肘掛け
８、２８    ハンドル
９、２９    足置板
便器１００
【図１】
0003148261.tif 000003
【図２】
0003148261.tif 000004
【図３】
0003148261.tif 000005
【図４】
0003148261.tif 000006
【図５】
0003148261.tif 000007